(57)【特許請求の範囲】
【請求項１】
折り畳むことにより略矩形状となした筒状紙体と、濾過機能を有する袋体とからなり、前記筒状紙体に前記袋体を挿入して前記袋体の開口縁の略中央対向部のみを折り返して前記筒状紙体の一方の開口縁の略中央部外面に貼着すると共に、前記袋体の開口部を内容物収納後に剥離可能に閉じたドリッパーにおいて、前記筒状紙体の略中央部の対向する位置に前記剥離可能に閉じた前記袋体の開口部を開口するフラップが形成されると共に、前記筒状紙体の折曲両側縁に前記筒状紙体を筒状に保持する折込部が設けられ、前記筒状紙体の内面と前記袋体の外面とが剥離可能に接着されていることを特徴とするドリッパー。
【請求項２】
前記フラップが前記筒状紙体の前記一方の開口縁の略中央部に突出して形成されていることを特徴とする請求項１記載のドリッパー。
【請求項３】
前記フラップが前記筒状紙体の前記一方の開口縁に平行な方向に一部が互い違いとなるように形成されていることを特徴とする請求項２記載のドリッパー。
【請求項４】
前記筒状紙体の他方の開口縁に係合突片が形成されていることを特徴とする請求項１〜３のいずれかに記載のドリッパー。
【請求項５】
前記袋体の開口部が超音波溶着により剥離可能に閉じられていることを特徴とする請求項１〜４のいずれかに記載のドリッパー。
【請求項６】
前記超音波溶着が微小突起を千鳥状に形成した先端を有する超音波ホーンないし微小突起を千鳥状に形成した表面を有する超音波溶着用受治具のいずれかを具備した超音波溶着装置でなされていることを特徴とする請求項５記載のドリッパー。
【発明の詳細な説明】
【０００１】
【発明の属する技術分野】
本発明は、レギュラーコーヒー粉、紅茶や緑茶の葉等の被抽出成分を有する内容物を漉す時に使用するドリッパーに関し、さらに詳しくは、被抽出成分を有する内容物を一体的に収納したドリッパーに関する。
【０００２】
【従来の技術】
従来から、レギュラーコーヒー、紅茶、緑茶等を愛飲する際に、缶や瓶あるいは包装袋に収納されたレギュラーコーヒー粉、紅茶や緑茶の葉等の被抽出成分を有する内容物を漉すために、漉し器の準備や洗浄等の手間が不要であって、使い勝手がよいといった理由から、使い捨てタイプのドリッパーが市販されている。
【０００３】
この種のドリッパーは、いずれも折り畳み可能な紙製の器板の内部に漏斗状フィルターを取り付けた構成からなるものであって、折り畳まれた紙製の器板を起立させると共に、折り畳まれた紙製の器板に設けられた突片あるいは切込や切欠部を利用してカップ壁面にドリッパーを載置固定して、缶や瓶あるいは包装袋に収納されたレギュラーコーヒー粉、紅茶や緑茶の葉等の被抽出成分を有する内容物を漏斗状フィルター内に充填し、熱湯を漏斗状フィルター内に注湯することにより、カップ内にレギュラーコーヒーや紅茶、緑茶等を得ることができるようになっている。
【０００４】
この種の使い捨てタイプのドリッパーは、漉し器の準備や洗浄等の手間が不要であり、また、使い勝手が良いなどの理由から独身者や単身赴任者などの使用者に好んで用いられている。しかし、使用者にとっては、レギュラーコーヒー粉、紅茶や緑茶の葉等の被抽出成分を有する内容物については、別途用意する必要があり、この点においては不満のあるものであった。この使用者の不満を解決するものとして、たとえば、ドリッパーにレギュラーコーヒー粉、紅茶や緑茶の葉等の内容物を密封状態で収納した包装袋を添付したものが市販されているが、レギュラーコーヒー粉、紅茶や緑茶の葉等の被抽出成分を有する内容物を別途用意する手間は省けるものの、これについても包装袋を開封してレギュラーコーヒー粉、紅茶や緑茶の葉等の被抽出成分を有する内容物をドリッパー内に充填する手間は同じであり、使用者にとってはなお不満の残るものであった。
【０００５】
そこで、使用者の上記不満を解決する一つの解決法として、たとえば、実公昭６０−７６１５号公報が開示されている。この実公昭６０−７６１５号公報に開示されたドリッパーは、ドリッパー内に予めレギュラーコーヒー粉、紅茶や緑茶の葉等の被抽出成分を有する内容物を収納したものであって、使用者にとっては、レギュラーコーヒー粉、紅茶や緑茶の葉等の被抽出成分を有する内容物を別途用意する手間や前記被抽出成分を有する内容物をドリッパー内に充填する手間を省き、折り畳まれたドリッパーを起立させ、ドリッパーに設けられた突片あるいは切込や切欠部を利用してカップ壁面にドリッパーを載置固定し、熱湯をドリッパー内に注湯するだけでカップ内にレギュラーコーヒーや紅茶、緑茶等を得ることができるという極めて重宝な代物である。
【０００６】
しかし、実公昭６０−７６１５号公報に開示されたドリッパーは、使用に際しては、濾紙袋の接合した開口縁を指で押し開くようにして開口させ、内部に収容したレギュラーコーヒー粉、紅茶や緑茶の葉等の被抽出成分を有する内容物を露出させるように構成されており、注湯部を指で触ることになり衛生上多少問題を抱えた仕様となっている。さらに指で押し開くようにして開口させるために、指にレギュラーコーヒー粉、紅茶や緑茶の葉等の被抽出成分を有する内容物が付着して指を汚す可能性のある仕様となっている。
【０００７】
また、使用者の上記不満を解決する他の解決法として、たとえば、特許第２９０１０５３号公報が開示されている。この特許第２９０１０５３号公報に開示されたドリッパーは、実公昭６０−７６１５号公報に開示されたドリッパーと同様に折り畳まれたドリッパーを起立させ、ドリッパーに設けられた突片あるいは切込や切欠部を利用してカップ壁面にドリッパーを載置固定し、熱湯をドリッパー内に注湯するだけでカップ内にレギュラーコーヒーや紅茶、緑茶等を得ることができるという極めて重宝な代物である。
【０００８】
しかし、特許第２９０１０５３号公報に開示されたドリッパーは、レギュラーコーヒー粉、紅茶や緑茶の葉等の被抽出成分を有する内容物が収容された濾紙袋に注湯用の開口を設ける際に、濾紙袋の上縁に沿って設けられたミシン目で開封して注湯用の開口を設けるように構成されており、濾紙袋をミシン面で開封すると濾紙袋のミシン目部に存在するレギュラーコーヒー粉、紅茶や緑茶の葉等の被抽出成分を有する内容物が開封と同時に飛散して周辺を汚すといった問題を抱えた仕様となっている。
【０００９】
【発明が解決しようとする課題】
そこで本発明は、上記のような問題点に鑑みてなされたものであって、その目的とするところは、レギュラーコーヒー粉、紅茶や緑茶の葉等の被抽出成分を有する内容物を収納すると共に、使用時には衛生的であってかつ指等を汚すことなく簡単な操作で開口することができると共に簡単に起立させてカップに安定した状態で載置固定して濾過することができる使い捨てタイプのドリッパーを提供することである。
【００１０】
【課題を解決するための手段】
本発明者等は、上記目的を達成するために、請求項１記載の本発明は、折り畳むことにより略矩形状となした筒状紙体と、濾過機能を有する袋体とからなり、前記筒状紙体に前記袋体を挿入して前記袋体の開口縁の略中央対向部のみを折り返して前記筒状紙体の一方の開口縁の略中央部外面に貼着すると共に、前記袋体の開口部を内容物収納後に剥離可能に閉じたドリッパーにおいて、前記筒状紙体の略中央部の対向する位置に前記剥離可能に閉じた前記袋体の開口部を開口するフラップが形成されると共に、前記筒状紙体の折曲両側縁に前記筒状紙体を筒状に保持する折込部が設けられ、前記筒状紙体の内面と前記袋体の外面とが剥離可能に接着されていることを特徴とするものである。
【００１１】
また、請求項２記載の本発明は、請求項１記載のドリッパーにおいて、前記フラップが前記筒状紙体の前記一方の開口縁の略中央部に突出して形成されていることを特徴とするものである。
【００１２】
また、請求項３記載の本発明は、請求項２記載のドリッパーにおいて、前記フラップが前記筒状紙体の前記一方の開口縁に平行な方向に一部が互い違いとなるように形成されていることを特徴とするものである。
【００１３】
上記請求項１〜３のいずれかに記載のように構成することにより、使用時までの間、内容物を確実に収納することができると共に、使用時には筒状紙体に設けた２つのフラップを手指で摘んで互いに乖離する方向に引っ張ることにより剥離可能に閉じた袋体の開口部を開口して内容物を露出することができるために、衛生的であると共に指や周辺を汚すことがない。また、袋体の開口部を開口して後に、筒状紙体の折曲両側縁に設けた折込部を内側に折り込むことにより容易に筒状に起立させることができると共に、この起立状態を保持することができるために、注湯口を開口状態に確実に確保することができる。また、前記筒状紙体の内面と前記袋体の外面とが剥離可能に接着されている構成とすることにより、袋体が筒状紙体に固定され、輸送時等に袋体が筒状紙体内を動くことがなく、袋体の剥離可能な開口部を保護することができ、また、筒状紙体と袋体との貼着部において、両者が外れてしまうことを防止することができる。
【００１４】
また、請求項４記載の本発明は、請求項１〜３のいずれかに記載のドリッパーにおいて、前記筒状紙体の他方の開口縁に係合突片が形成されていることを特徴とするものである。このように構成することにより、カップ壁面に安定して載置固定することができる。
【００１５】
また、請求項５記載の本発明は、請求項１〜４のいずれかに記載のドリッパーにおいて、前記袋体の開口部が超音波溶着により剥離可能に閉じられていることを特徴とするものである。このように構成することにより、筒状紙体側から袋体の開口部を容易に閉じることができる。
【００１６】
また、請求項６記載の本発明は、請求項５記載のドリッパーにおいて、前記超音波溶着が微小突起を千鳥状に形成した先端を有する超音波ホーンないし微小突起を千鳥状に形成した表面を有する超音波溶着用受治具のいずれかを具備した超音波溶着装置でなされていることを特徴とするものである。このように構成することにより、筒状紙体の重ね部に対応する袋体の開口部を袋体の他の開口部と同様に確実に、かつ、美麗（筒状紙体の重ね部の外内面や筒状紙体の重ね部に対応する袋体に焦げ等が生じることなく）に閉じることができる。
【００１８】
【発明の実施の形態】
上記の本発明について、図面等を用いて以下に詳述する。
図１は本発明にかかるドリッパーの一実施例を示す正面図、図２は図１に示すドリッパーに用いる筒状紙体の展開図、図３は図１に示すドリッパーの使用方法を説明する図、図４は本発明にかかるドリッパーの他の実施例を示す正面図、図５は図４に示すドリッパーに用いる筒状紙体の展開図、図６は超音波溶着用受治具の表面形状の一実施例を示す斜視図であり、図中の１、１’はドリッパー、２，２０２は筒状紙体、２’，２０２’は筒状紙体のブランク板、３は袋体、２０，２０’，２００，２００’はフラップ、２１，２１’は折込部、２２は係合突片、２３，２１１，２１１’，２２１，２２１’，２４２，２５２，２４４，２５４は切欠部、２４，２５，２１２，２１３，２２２，２２３，２４３，２５３は折罫、３０は袋体の略中央対向貼着部、３１は剥離可能接着部、３２は強固な接着部、２１４，２２４は切込部、２１０は前面板、２２０は背面主板、２２０’は背面補助板、Ａは超音波溶着用受治具の表面、Ｂは四角錐状突起をそれぞれ示す。
【００１９】
図１は本発明にかかるドリッパーの一実施例を示す正面図であって、ドリッパー１は折り畳むことにより矩形状となした筒状紙体２に、濾過機能を有する略逆台形状の袋体３を挿入して前記袋体３の開口縁の略中央を一部延設した対向貼着部３０のみを前記筒状紙体２の一方の開口縁（図１上の上縁）の略中央部に貼着すると共に、前記袋体３の開口部を剥離可能接着部３１で閉じたものである。なお、図１において、前記袋体３は、その両側端縁において、容易に剥がれない強固な接着部３２からなると共に、前記袋体３の前記開口部と反対側の下端部（図１上の下側部）は折部となっている。また、図示はしないが、袋体３内にはレギュラーコーヒー粉、紅茶や緑茶の葉等の被抽出成分を有する内容物が収納されている。
【００２０】
そして、前記筒状紙体２の略中央部の対向する位置に前記袋体３の前記剥離可能接着部３１を剥離して前記袋体３の開口部を開口するために用いるフラップ２０、２０’（図示せず）が形成されると共に、前記筒状紙体２の折曲両側縁の略中央部に前記筒状紙体２を起立して筒状に保持する折込部２１、２１’が設けられ、さらに前記筒状紙体２の他方の開口縁（図１上の下縁）の折曲両側縁と中央部とに係合突片２２が４箇所（図１上は３箇所）形成され、この係合突片２２により前記筒状紙体２の他方の開口縁（図１上の下縁）に必然的に切欠部２３が４箇所（図１上は２箇所）形成され、この係合突片２２と切欠部２３とが協働してカップ壁面にドリッパー１を載置固定するように構成されている。なお、係合突片２２の数や形状は、これに限られるものではなく、カップ壁面に載置固定可能に構成されていればよいものである。
【００２１】
次に、本発明のドリッパーを構成する筒状紙体２と濾過機能を有する袋体３について説明する。まず、最初に筒状紙体２について説明する。
図２は図１に示すドリッパーに用いる筒状紙体の展開図であって、筒状紙体２は、背面補助板２２０’、前面板２１０、背面主板２２０が折罫２４、２５を介して順次連接されると共に、前記折罫２４、２５と直交する一方の端縁に、前記折罫２４及び前記折罫２５に対してそれぞれ線対称に突出した係合突片２２、２２、及び、前記前面板２１０の中央部と前記背面主板２２０の略中央部に突出した係合突片２２、２２が形成され（この係合突片２２により必然的に切欠部２３が形成され）、さらに前記折罫２４及び２５のそれぞれの略中央部に前記折罫２４及び２５に対して線対称となるように略コの字形状の切刃２４１、２５１が設けられ、そして前記切刃２４１、２５１に連接して他方の端縁側に前記折罫２４及び２５に対して線対称となるように略半円状の切欠部２４２、２５２が設けられ、かつ、前記切刃２４１、２５１のそれぞれの両端部から前記一方の端縁側に延びて前記折罫２４及び２５にそれぞれ交わる前記折罫２４及び２５に対して線対称な折罫２４３、２４３及び２５３、２５３が設けられると共に、前記折罫２４と前記折罫２４３、２４３の交点（図示せず）及び前記折罫２５と前記折罫２５３、２５３の交点（図示せず）をそれぞれ中心とする円形状の切欠部２４４、２５４が設けられ、さらに前記前面板２１０の中央部と前記背面主板２２０の略中央部に、略Ｃの字形状の切欠部２１１、２２１を設けることにより、前記略Ｃの字形状の切欠部２１１、２２１のそれぞれの両端部を繋ぐ前記折罫２４ないし２５に垂直な折罫２１２、２２２を介して連接したフラップ２０、２０’が設けられたブランク板２’から構成され、該ブランク板２’を、まず前記前面板２１０上に前記背面主板２２０を前記折罫２５で折り重ね、次に折り重ねた前記背面主板２２０上に前記背面補助板２２０’を前記折罫２４で折り重ねると共に、前記背面主板２２０と前記背面補助板２２０’との重ね部を接着剤等により接着することにより筒状紙体２を得ることができる。なお、前記ブランク板２’は、周知の打抜機（型抜き機）で容易に製造することができる。
【００２２】
ところで、図１に示した前記折込部２１は前記切刃２４１と前記略半円状の切欠部２４２と前記折罫２４３、２４３と前記円形状の切欠部２４４及び前記切刃２４１と前記円形状の切欠部２４４との間の前記折罫２４で形成されるように構成されると共に、前記折込部２１’は前記切刃２５１と前記略半円状の切欠部２５２と前記折罫２５３、２５３と前記円形状の切欠部２５４及び前記切刃２５１と前記円形状の切欠部２５４との間の前記折罫２５で形成されるように構成される。尚、筒状紙体を形成する材料としては、たとえば、２００〜３４０ｇ／ｍ2の耐水カード紙、アイボリー紙などの厚紙が適当である。
【００２３】
次に、袋体３について説明する。
本発明に用いる袋体３としては、濾過機能を有する素材であれば、特に限定するものではないが、袋体とするときの加工性を考慮すると素材そのもの自体が熱接着性を有するもの、あるいは、最内層が熱接着性を有するものが好ましい。たとえば、ポリエチレンやポリプロピレン等のポリオレフィン系、ポリエステル系等の透水性を有する不織布や、あるいは、最内層にポリエチレンやポリプロピレン等のオレフィン系やポリエステル系等の熱可塑性樹脂を含有している層を有する２ないし３層構成からなる濾紙等を例示することができる。
【００２４】
前記袋体３は、熱接着性を有するロールからなる長尺シート、たとえば、最内層に変性ポリプロピレンを含有している３層構成からなる濾紙を長手方向と平行に２つ折りして折部を形成するなり、あるいは、前記折部をＷ折り（ガセット折り）するなりして重ね合わせ、所定形状に熱接着（図１上、符号３２で示す接着部）し、その後断裁、及び／ないし型抜き（図１上は折部が狭幅となる略台形状に型抜き）することにより製造することができる。
【００２５】
そして、前記筒状紙体２と前記袋体３との組付けは、上記したように前記筒状紙体２に前記袋体３を挿入して前記袋体３の開口縁の略中央対向貼着部３０のみを折返して前記筒状紙体２の一方の開口縁（図１上の上縁）の略中央部外面に貼着することにより完了する。なお、図１においては、前記袋体３の対向貼着部３０を前記筒状紙体２の外面に貼着したものを示したが、前記筒状紙体２の内面に貼着してもよい。いずれの場合においても、前記筒状紙体２の貼着個所は図１において上縁とすることが望ましく、これは、使用時に前記筒状紙体２を筒状に起立させた際に、前記筒状紙体２の上縁で前記袋体３が貼着されていることで、前記袋体３の両側（図１上）が持ち上がり、前記袋体３の大きく確実な開口が保証され、注湯やドリップに適しているからである。また、前記筒状紙体２と前記袋体３との貼着は、ホットメルト型、溶剤型、水性型、反応型、感圧型等の接着剤から適宜選択して用いることができる。また、前記ブランク２’の前記背面主板２２０と前記背面補助板２２１との重ね部を接着する接着剤についても同様に上記した接着剤から適宜選択して用いることができることは当然である。
【００２６】
このようにして筒状紙体２に袋体３が組み付けられた半完成品のドリッパー１は、その後、前記袋体３内にレギュラーコーヒー粉、紅茶や緑茶の葉等の被抽出成分を有する内容物が前記袋体３の開口部から充填されて後に、前記袋体３の前記開口部が剥離可能接着部３１となるように熱接着されて、本発明のドリッパー１となる。
【００２７】
次に、前記袋体３の前記開口部の剥離可能接着部３１の形成方法について説明する。前記剥離可能接着部３１は、たとえば、平坦な先端を有する超音波ホーン（図示せず）と、図６に示すようなローレット加工等により微小突起Ｂを千鳥状に形成した表面Ａを有する超音波溶着用受治具（図６上、前記微小突起Ｂは四角錐状突起を例示している）を具備した超音波溶着装置（図示せず）を用いて超音波振動を与えることにより溶着させて形成されたものである。本実施例に示したドリッパー１は、上記したように、筒状紙体２に袋体３を組付け、その後に前記袋体３内にレギュラーコーヒー粉、紅茶や緑茶の葉等の被抽出成分を有する内容物を前記袋体３の開口部から充填し、最後に前記袋体３の前記開口部を剥離可能接着部３１となるように超音波溶着するものであり、前記剥離可能接着部３１は筒状紙体２外面から前記筒状紙体２を介して超音波溶着することにより形成されるものである。しかし、通常の熱板シール方法やインパルスシール方法等では、前記筒状紙体２を形成している厚紙を通して前記袋体３の開口部の内面同士を剥離可能に接着することは非常に困難であり、接着しようとすると時間を要し、生産効率が落ちると共に前記筒状紙体２の内外面や前記袋体３の表面が焦げて褐変しやすい。また、前記筒状紙体２の接着された重ね部における厚紙の３枚重なり部の両端付近において押圧が不均一となるために前記袋体３の接着した開口部の前記重ね部における厚紙の３枚重なり部の両端付近にシール抜け等のシール不良が発生し、これらの方法を用いることは困難である。
【００２８】
上記問題を解決するシール方法として、所望の個所を選択的に接着することができる超音波溶着方法が考えられ、平坦な先端を有する超音波ホーン（図示せず）と、平坦な表面を有する超音波溶着用受治具（図示せず）を具備した超音波溶着装置（図示せず）を用いて超音波振動を与えることにより超音波溶着したところ、前記袋体３の開口部を剥離可能に接着することができると共に前記筒状紙体２の内外面や前記袋体３の表面に焦げも見られず良好な結果が得られたが、やはり前記筒状紙体２の接着された重ね部に超音波振動エネルギーが集中するために、良好な結果を得るための押圧調整や出力調整が結構煩雑であり、また、図示はしないが前記筒状紙体２の接着された重ね部における紙厚一枚分の逃げ加工を超音波ホーンあるいは超音波溶着用受治具に施した場合は、逃げ加工を施した部位と重ね部との位置合わせが難しいという問題があった。そこで、鋭意研究した結果、平坦な先端を有する超音波ホーン（図示せず）と、図６に示すようなローレット加工等により微小突起Ｂを千鳥状に形成した表面Ａを有する超音波溶着用受治具（図６上、前記微小突起Ｂは四角錐状突起を例示している）を具備した超音波溶着装置（図示せず）を用いて超音波振動を与えることにより、前記筒状紙体２の前記重ね部に対応する部分に超音波振動エネルギーを集中し過ぎることなく与えることができ、前記袋体３の表面に焦げを生じることなく、前記袋体３の開口部を剥離可能に超音波溶着できることを見出した。ところで、実施例においては、千鳥状に形成した微小突起Ｂを超音波溶着用受治具（図６上、前記微小突起Ｂは四角錐状突起を例示している）の表面に形成したが、超音波溶着用受治具（図６上、前記微小突起Ｂは四角錐状突起を例示している）の表面を平坦にし、千鳥状に形成した微小突起Ｂを超音波ホーンの先端に形成してもよいものである。なお、微小突起Ｂを四角錐状突起とし、いわゆるアヤ目状に配置したが、これに限るものではなく、たとえば、三角錐状、五角錐状等の角錐状、あるいは、円錐状であってもよいものである。
【００２９】
次に、今まで説明したように構成されている本発明のドリッパー１の使用方法について説明する。
まず、筒状紙体２に袋体３がセットされた状態でレギュラーコーヒー粉、紅茶や緑茶の葉等の内容物が充填された図１に示すドリッパー１は、前記筒状紙体２に設けられたフラップ２０、２０’（図示せず）を手指等で摘んで互いに乖離する方向に引っ張って袋体３の開口部を剥離可能に閉じた剥離可能接着部３１を剥離して開口部を設けると共に、筒状紙体２に設けられた折込部２１、２１’を手指等で折り込んで前記筒状紙体２を筒状に開口した状態に保形し、その後に筒状紙体２の下端縁に設けた係合突片２２及び切欠部２３でカップ壁面にドリッパー１を図３に示すように載置固定し、開口部から所定量の熱湯を注湯して、カップ内に所望の飲料を得ることができる。
【００３０】
図４は本発明にかかるドリッパーの他の実施例を示す正面図であって、ドリッパー１’は、図１に示したドリッパー１の筒状紙体２に設けたフラップ２０、２０’（図示せず）に代えて、一方の開口縁の略中央部に突出して形成したフラップ２００、２００’を有すと共に、前記筒状紙体２のフラップ２０、２０’（図示せず）が形成されていた個所に略逆台形状の切欠部２１１’、２２１’（図示せず）を形成した筒状紙体２０２からなるものであって、これ以外は図１に示したドリッパー１と同じである。
【００３１】
図５は図４に示すドリッパーに用いる筒状紙体の展開図であって、筒状紙体２０２は、図２に示した筒状紙体のブランク板２’の前面板２１０の中央部と背面主板２２０の略中央部に設けた略Ｃの字形状の切欠部２１１、２２１に代えて略逆台形状の切欠部２１１’、２２１’を設け、さらに前記筒状紙体のブランク板２’の係合突片２２を設けた端縁と対向する端縁の前面板２１０の中央部と背面主板２２０の略中央部に端縁から突出する略矩形状のフラップ２００、２００’を設けると共に前記フラップ２００、２００’の両側端の前記前面板２１０と前記背面主板２２０に前記フラップ２００、２００’の両側端から延設して切込部２１４、２２４と該切込部２１４、２２４のそれぞれの先端を結ぶ折罫２１３、２２３が形成されたブランク板２０２’から構成される以外は図２に示した筒状紙体のブランク板２’と同じであって、このブランク板２０２’をブランク板２’で説明した同じ方法を採ることにより筒状紙体２０２を得ることができる。なお、前記ブランク板２０２’は、前記ブランク板２’と同様に周知の打抜機（型抜き機）で容易に製造することができる。
【００３２】
また、上記説明では、フラップ２００、２００’は、切込部２１４、２２４、折罫２１３、２２３を形成した形状としたが、突出寸法や紙の剛性等により、必ずしも必要なものではなく、適宜形成されればよいものである。また、フラップ２００、２００’の設ける位置についても、手指等でより摘みやすいように前記筒状紙体の前記一方の開口縁に平行な方向に一部が互い違いとなるように形成されていてもよいものである。
【００３３】
また、前記筒状紙体２０２と前記袋体３とを組付けて半完成品のドリッパー１’とする方法についても上記で説明した前記筒状紙体２と前記袋体３とを組付けて半完成品のドリッパー１とする方法を採ることにより容易に組付けることができる。また、袋体３にレギュラーコーヒー粉、紅茶や緑茶の葉等の被抽出成分を有する内容物を収納して完成品の本発明のドリッパー１’とする方法についても同じであり、説明は省略する。
【００３４】
このようにして作製された図４に示すドリッパー１’は、前記筒状紙体２０２に設けられたフラップ２００、２００’（図示せず）を手指等で摘んで互いに乖離する方向に引っ張って袋体３の剥離可能に閉じた剥離可能接着部３１からなる開口部を剥離して開口部を設けると共に、筒状紙体２０２に設けられた折込部２１、２１’を手指等で折り込んで前記筒状紙体２０２を筒状に開口した状態に保形し、その後に、図示はしないが、図３と同様に筒状紙体２０２の下端縁に設けた係合突片２２及び切欠部２３でカップ壁面にドリッパー１’を載置固定し、開口部から所定量の熱湯を注湯して、カップ内に所望の飲料を得ることができる。なお、前記フラップ２００、２００’の両側端の前記前面板２１０と前記背面主板２２０に前記フラップ２００、２００’の両側端から延設して切込部２１４、２２４と該切込部２１４、２２４のそれぞれの先端を結ぶ折罫２１３、２２３を形成したことにより、前記フラップ２００、２００’を手指で容易に摘むことができるために、前記フラップ２００、２００’の前記筒状紙体２０２の端縁からの突出幅を小さくすることができる。
【００３５】
【発明の効果】
本発明のドリッパーは、今まで縷々説明してきたように、レギュラーコーヒー粉、紅茶や緑茶の葉等の内容物を収納したドリッパーであって、内容物を別途用意する手間や前記内容物をドリッパー内に充填する手間を省き、使用時には衛生的かつ指等を汚すことなく簡単な操作で開口することができると共に起立させることができ、さらに筒状紙体に設けられた係合突片あるいは切欠部を利用してカップ壁面に載置固定することができ、その後に熱湯を袋体の開口部に注湯するだけでカップ内に所望の飲料を得ることができるという優れた効果を奏するものである。また、使用したドリッパーは使い捨てであり洗浄するなどの手間が要らないという優れた効果を奏するものである。
【図面の簡単な説明】
【図１】  本発明にかかるドリッパーの一実施例を示す正面図である。
【図２】  図１に示すドリッパーに用いる筒状紙体の展開図である。
【図３】  図１に示すドリッパーの使用方法を説明する図である。
【図４】  本発明にかかるドリッパーの他の実施例を示す正面図である。
【図５】  図４に示すドリッパーに用いる筒状紙体の展開図である。
【図６】  超音波溶着用受治具の表面形状の一実施例を示す斜視図である。
【符号の説明】
１，１’                                ドリッパー
２，２０２                              筒状紙体
２’，２０２’                          筒状紙体のブランク板
３                                      袋体
２０，２０’，２００，２００’          フラップ
２１，２１’                            折込部
２２                                    係合突片
２３，２１１，２１１’，２２１，２２１’  切欠部
２４２，２５２，２４４，２５４          切欠部
２４，２１２，２１３，２４３            折罫
２５，２２２，２２３，２５３            折罫
３０                                    袋体の略中央対向部
３１                                    剥離可能接着部
３２                                    強固な接着部
２１４，２２４                          切込部
２１０                                  前面板
２２０                                  背面主板
２２０’                                背面補助板
Ａ                                      超音波溶着用受治具の表面
Ｂ                                      四角錐突起
【図１】
0004882188.tif 000002
【図２】
0004882188.tif 000003
【図３】
0004882188.tif 000004
【図４】
0004882188.tif 000005
【図５】
0004882188.tif 000006
【図６】
0004882188.tif 000007